(57)【要約】    【構成】  携帯電話機１０は、第１カメラモジュール３６および第２カメラモジュール３８を含み、これらは同一平面内に設けられる。第２カメラモジュール３８のイメージセンサ（５２ｂ）は、第１カメラモジュール３６のイメージセンサ（５２ａ）よりも画素数が少ない。キー入力装置２６によってシャッタ操作が実行されると、プロセッサ２４は、本撮影処理を、第１カメラモジュール３６および第２カメラモジュール３８に命令し、高画素数の撮影画像（高画素画像）を取得するとともに、低画素数の撮影画像（低画素画像）を取得する。プロセッサ２４は、被写体を撮影することにより得た高画素画像および低画素画像に対応する画像データを関連付けてフラッシュメモリ３２に記憶する。    【効果】  被写体についての高画素画像と低画素画像とを記録することができる。【選択図】  図１
2012109844.tif 000002
【特許請求の範囲】
【請求項１】
第１画素数の第１撮像素子を有する第１カメラと、
前記第１画素数よりも少ない第２画素数の第２撮像素子を有する第２カメラと、
撮影指示に応答して、前記第１カメラで撮影された撮影画像に対応する第１画像データを記憶する第１画像記憶部と、
前記撮影指示に応答して、前記第２カメラで撮影された撮影画像に対応する第２画像データに所定の処理を施して色情報データを生成する画像処理部と、
前記画像処理部によって生成された色情報データを前記第１画像データと関連付けて記憶する第２画像記憶部を備える、カメラ付き電子機器。
【請求項２】
前記第１カメラと前記第２カメラとを同一平面内に設けた、請求項１記載のカメラ付き電子機器。
【請求項３】
前記第１カメラは第１画角を有し、前記第２カメラは前記第１画角よりも広い第２画角を有し、
前記第２画角を前記第１画角に一致させるように、前記色情報データの一部を切り取る切り取り部をさらに備え、
前記第２画像記憶部は、前記切り取り部によって切り取られた前記色情報データの一部を記憶する、請求項１または２記載のカメラ付き電子機器。
【請求項４】
前記第１カメラと前記第２カメラとの設置位置に応じた前記第１撮影画像と前記第２撮影画像とのずれに応じて前記切り取り部によって切り取る位置を調整する調整部をさらに備える、請求項３記載のカメラ付き電子機器。
【請求項５】
第１画素数の第１撮像素子を有する第１カメラと、
前記第１画素数よりも少ない第２画素数の第２撮像素子を有する第２カメラと、
撮影指示に応答して、前記第１カメラで撮影された撮影画像に対応する第１画像データを記憶する第１画像記憶部と、
前記撮影指示に応答して、前記第２カメラで撮影された撮影画像に対応する第２画像データに所定の処理を施して色情報データを生成する画像処理部と、
前記画像処理部によって生成された色情報データを前記第１画像データと関連付けて記憶する第２画像記憶部を備える、携帯電話機。
【請求項６】
第１画素数の第１撮像素子を有する第１カメラと、
前記第１画素数よりも少ない第２画素数の第２撮像素子を有する第２カメラを備える、カメラ付き電子機器の制御方法であって、
（ａ）撮影指示に応答して、前記第１カメラで撮影された撮影画像に対応する第１画像データを記憶部に記憶し、
（ｂ）前記撮影指示に応答して、前記第２カメラで撮影された撮影画像に対応する第２画像データに所定の処理を施して色情報データを生成し、
（ｃ）前記ステップ（ｂ）によって生成された色情報データを前記第１画像データと関連付けて前記記憶部に記憶する、カメラ付き電子機器の制御方法。
【発明の詳細な説明】
【技術分野】
【０００１】
この発明は、カメラ付き電子機器、携帯電話機および制御方法に関し、特にたとえば、２つのカメラを備える、カメラ付き電子機器、携帯電話機および制御方法に関する。
【背景技術】
【０００２】
背景技術の一例が特許文献１に開示されている。この特許文献１のカメラ装置では、記録前には光学系からの光信号が画素数の少ない第２の固体撮像素子に供給され、この第２の固体撮像素子から出力された電気信号に基づいて記録前における撮像条件についての制御が行われる。一方、記録時には、第２の固体撮像素子より画素数の多い第１の固体撮像素子から出力された電気信号に基づいて画像データが生成されて記録手段により記録媒体に記録される。
【０００３】
また、背景技術の他の例が特許文献２に開示されている。この特許文献２の撮像素子では、第１撮像素子と、この第１撮像素子よりも画素数が少なく、低消費電力の第２撮像素子とを備えている。この撮像素子では、撮影モード、電池残量または記録媒体残量に応じて、使用する撮像素子が選択される。
【特許文献１】特開平１１−１４６２４２号公報
【特許文献２】特開２００６−２９５６４０号公報
【発明の概要】
【発明が解決しようとする課題】
【０００４】
しかし、特許文献１では、第２の固体撮像素子よりも画素数の多い第１の固体撮像素子から出力された電気信号に基づいて生成された画像データのみが記録手段に記録されるため、第２の固体撮像素子から出力された電気信号に基づいて生成された画像データが記録されることがない。つまり、一度に両方の撮像素子を用いて撮影した画像データを記録することはできない。また、第１固体撮像素子から出力された電気信号に基づいて生成された画像データのみが記録されるため、撮影画像を確認する場合にも、当該画像データを再生する必要があり、カメラ装置に設けられる比較的画面の小さいＬＣＤに表示するのにも、処理負荷が大きくなってしまう。
【０００５】
また、特許文献２では、第１撮像素子または第２撮像素子を切り替えるため、一度に両方の撮像素子を用いて撮影した画像データを記録することはできない。したがって、第１撮像素子が選択された場合には、特許文献１の場合と同様に、撮像素子に設けられる比較的画面の小さいＬＣＤに表示するのにも、処理負荷が大きくなってしまう。また、第２撮像素子が選択された場合には、別途ＰＣを用いて画像を加工したり、プリントアウトしたりするには、画像の品質が低過ぎる場合がある。
【０００６】
それゆえに、この発明の主たる目的は、新規な、カメラ付き電子機器、携帯電話機および制御方法を提供することである。
【０００７】
この発明の他の目的は、画素数の異なる撮影画像を記録することができる、カメラ付き電子機器、携帯電話機および制御方法を提供することである。
【課題を解決するための手段】
【０００８】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００９】
第１の発明は、第１画素数の第１撮像素子を有する第１カメラと、第１画素数よりも少ない第２画素数の第２撮像素子を有する第２カメラと、撮像指示に応答して、第１カメラで撮影された撮影画像に対応する第１画像データを記憶する第１画像記憶部と、撮影指示に応答して、第２カメラで撮影された撮影画像に対応する第２画像データに所定の処理を施して色情報データを生成する画像処理部と、画像処理部によって生成された色情報データを第１画像データと関連付けて記憶する第２画像記憶部を備える、カメラ付き電子機器である。
【００１０】
第１の発明では、カメラ付き電子機器（１０）は、第１カメラ（３６）と、第２カメラ（３８）と、第１画像記憶部（３２）と、第２画像記憶部（３２）を備える。第１カメラは、第１画素数の第１撮像素子（５２ａ）を有する。第２カメラは、第１画素数よりも少ない第２画素数の第２撮像素子（５２ｂ）を有する。第１記憶部は、撮像指示に応答して、第１カメラで撮影された撮影画像に対応する第１画像データを記憶する。たとえば、第１撮像素子から出力された生画像の第１画像データが記憶される。画像処理部は、撮影指示に応答して、第２カメラで撮影された撮影画像に対応する第２画像データに所定の処理を施して色情報データを生成する。たとえば、第２撮像素子から出力された生画像の第２画像データがＹＵＶの画像データ（色情報データ）に変換される。第２画像記憶部は、画像処理部によって生成された色情報データを第１画像データと関連付けて記憶する。
【００１１】
第１の発明によれば、画素数の異なる２つのカメラを設けるので、画素数の異なる撮影画像を記録することができる。
【００１２】
第２の発明は、第１の発明に従属し、第１カメラと第２カメラとを同一平面内に設けた。
【００１３】
第２の発明では、第１カメラと第２カメラとが同一平面内に設けられる。たとえば、横並びまたは縦並び或いは斜め方向に並んで配置される。
【００１４】
第２の発明によれば、第１カメラと第２カメラとを同一平面内に設けるので、同時に同じ被写体を撮影することができる。
【００１５】
第３の発明は、第１の発明に従属し、第１カメラは第１画角を有し、第２カメラは第１画角よりも広い第２画角を有し、第２画角を第１画角に一致させるように、色情報データの一部を切り取る切り取り部をさらに備え、第２画像記憶部は、切り取り部によって切り取られた色情報データの一部を記憶する。
【００１６】
第３の発明では、第１カメラは第１画角を有する。一方、第２カメラは、第１画角よりも広い第２画角を有している。つまり、画素数の少ない第２カメラの方が第１カメラよりも画角が広い。切り取り部は、第２画角を第１画角に一致させるように、色情報データの一部を切り取る。つまり、第２カメラで撮影された撮影画像から、第１画角での撮影範囲に相当する部分が切り取られる。そして、第２画像記憶部は、切り取り部によって切り取られた色情報データの一部を記憶する。
【００１７】
第３の発明によれば、第１カメラの画角に合わせるように、第２カメラで撮影した撮影画像の一部を切り取るので、第１カメラの撮影画像および第２カメラの撮影画像を表示した場合に、それを見た使用者に異なる印象を与えるのを防止することができる。したがって、同じ被写体を撮影したにも拘わらず、異なる撮影画像であると認識することを回避することができる。
【００１８】
第４の発明は、第３の発明に従属し、第１カメラと第２カメラとの設置位置に応じた第１撮影画像と第２撮影画像とのずれに応じて切り取り部によって切り取る位置を調整する調整部をさらに備える。
【００１９】
第４の発明では、切り取り部は、第１撮影画像と第２撮影画像とのずれに応じて切り取り部によって切り取る位置を調整する。この撮影画像のずれは、第１カメラと第２カメラとの設置位置の違い（ずれ）に起因する。たとえば、第２撮影画像の中心から、撮影画像のずれ量だけ、ずれた方向に切り取り位置を移動させる。
【００２０】
第４の発明によれば、第１カメラと第２カメラとの設置位置の違いによる撮影画像のずれを調整することができる。したがって、第１撮影画像と第２撮影画像との印象が異なることを、より確実に防止することができる。
【００２１】
第５の発明は、第１画素数の第１撮像素子を有する第１カメラと、第１画素数よりも少ない第２画素数の第２撮像素子を有する第２カメラと、撮影指示に応答して、第１カメラで撮影された撮影画像に対応する第１画像データを記憶する第１画像記憶部と、撮影指示に応答して、第２カメラで撮影された撮影画像に対応する第２画像データに所定の処理を施して色情報データを生成する画像処理部と、画像処理部によって生成された色情報データを第１画像データと関連付けて記憶する第２画像記憶部を備える、携帯電話機である。
【００２２】
第６の発明は、第１画素数の第１撮像素子を有する第１カメラと、第１画素数よりも少ない第２画素数の第２撮像素子を有する第２カメラを備える、カメラ付き電子機器の制御方法であって、（ａ）撮影指示に応答して、第１カメラで撮影された撮影画像に対応する第１画像データを記憶部に記憶し、（ｂ）撮影指示に応答して、第２カメラで撮影された撮影画像に対応する第２画像データに所定の処理を施して色情報データを生成し、（ｃ）ステップ（ｂ）によって生成された色情報データを第１画像データと関連付けて記憶部に記憶する、カメラ付き電子機器の制御方法である。
【００２３】
第５および第６の発明においても、第１の発明と同様に、画素数の異なる撮影画像を記録することができる。
【発明の効果】
【００２４】
この発明によれば、画素数の異なる撮影画像を記録することができる。
【００２５】
この発明の上述の目的、その他の目的、特徴および利点は、図面を参照して行う以下の実施例の詳細な説明から一層明らかとなろう。
【図面の簡単な説明】
【００２６】
【図１】図１はこの発明の一実施例の携帯電話機の電気的な構成を示すブロック図である。
【図２】図２は図１に示すカメラモジュールの電気的な構成を示すブロック図である。
【図３】図３は図１に示す携帯電話機の外観を示す図である。
【図４】図４は図１に示す携帯電話機に設けられたカメラモジュールの撮影範囲および撮影時の携帯電話機の向きの例を示す図である。
【図５】図５は図１に示す携帯電話機に設けられたカメラモジュールの撮影画像の表示例を示す図である。
【図６】図６は図１に示す携帯電話機に設けられたカメラモジュールの撮影範囲の横幅の例を示す図である。
【図７】図７は図１に示す携帯電話機に設けられたカメラモジュールの撮影範囲の縦の長さの例を示す図である。
【図８】図８は低画素画像の切り取り範囲およびこの切り取り範囲で低画素画像を切り取る方法を説明するための図である。
【図９】図９は図１に示す携帯電話機に設けられたフラッシュメモリの画像記憶領域の例を示す図である。
【発明を実施するための形態】
【００２７】
図１を参照して、この実施例の携帯電話機１０はプロセッサ２４を含み、このプロセッサ２４は、ＣＰＵまたはコンピュータと呼ばれる。プロセッサ２４には、無線通信回路１４、Ａ／Ｄ変換器１６、Ｄ／Ａ変換器２０、キー入力装置２６、表示ドライバ２８、フラッシュメモリ３２、ＲＡＭ３４、第１カメラモジュール３６、第２カメラモジュール３８およびインターフェイス（以下、「Ｉ／Ｆ」と表記する）４０が接続される。また、無線通信回路１４にはアンテナ１２が接続され、Ａ／Ｄ変換器１６にはマイク１８が接続され、Ｄ／Ａ変換器２０にはアンプ（図示せず）を介して、レシーバ２２が接続される。さらに、表示ドライバ２８にはディスプレイ３０が接続される。さらにまた、Ｉ／Ｆ４０には、メモリカード４２が接続される。ただし、メモリカード４２は、携帯電話機１０に着脱可能である。
【００２８】
プロセッサ２４は、携帯電話機１０の全体制御を司る。ＲＡＭ３４は、プロセッサ２４の作業領域（描画領域を含む）ないしバッファ領域として用いられる。フラッシュメモリ３２には、携帯電話機１０の文字、画像、音声、音および映像のようなコンテンツのデータなどが記録される。
【００２９】
Ａ／Ｄ変換器１６は、当該Ａ／Ｄ変換器１６に接続されたマイク１８を通して入力される音声ないし音についてのアナログ音声信号を、デジタル音声信号に変換する。Ｄ／Ａ変換器２０は、デジタル音声信号をアナログ音声信号に変換（復号）し、アンプを介してレシーバ２２に与える。したがって、アナログ音声信号に対応する音声ないし音がレシーバ２２から出力される。
【００３０】
キー入力装置２６は、通話キーおよび終話キーなどを備えるとともに、「０」−「９」キー、「＊」キーおよび「＃」キーを含むダイヤルキーも備える。そして、使用者が操作したキーの情報（キーデータ）がプロセッサ２４に入力される。
【００３１】
なお、キー入力装置２６に含まれる各キーが操作されると、フィードバック処理が実行され、図示しないスピーカからフィードバック音が出力される。そのため、使用者は、フィードバック音を聞くことで、キー入力操作に対する操作感を得ることができる。
【００３２】
表示ドライバ２８は、プロセッサ２４の指示の下、当該表示ドライバ２８に接続されたディスプレイ３０の表示を制御する。なお、表示ドライバ２８はディスプレイ３０に表示する画像に対応する画像データを一時的に記憶するビデオメモリ（図示せず）を含む。
【００３３】
無線通信回路１４は、ＣＤＭＡ方式での無線通信を行うための回路である。たとえば、使用者がキー入力装置２６を用いて音声発信を指示すると、無線通信回路１４は、プロセッサ２４の指示の下、音声発信処理を実行し、アンテナ１２を介して音声発信信号を出力する。音声発信信号は、基地局および通信網（図示せず）を経て相手の電話機に送信される。そして、相手の電話機において着信処理が行われると、接続状態（通信可能状態）が確立され、プロセッサ２４は通話処理を実行する。
【００３４】
通常の通話処理について具体的に説明すると、相手の電話機から送られてきた変調音声信号（高周波信号）はアンテナ１２によって受信される。受信された変調音声信号には、無線通信回路１４によって復調処理および復号処理が施される。そして、これらの処理によって得られた受話音声信号は、Ｄ／Ａ変換器２０によってアナログ音声信号に変換された後、レシーバ２２から出力される。一方、マイク１８を通して取り込まれた送話音声信号は、Ａ／Ｄ変換器１６によってデジタル音声信号に変換された後、プロセッサ２４に与えられる。デジタル音声信号に変換された送話音声信号には、プロセッサ２４の指示の下、無線通信回路１４によって符号化処理および変調処理が施され、アンテナ１２を介して出力される。したがって、変調音声信号は、基地局および通信網を介して相手の電話機に送信される。
【００３５】
また、相手の電話機からの発信信号がアンテナ１２によって受信されると、無線通信回路１４は、着呼（音声着信ともいう）をプロセッサ２４に通知する。これに応じて、プロセッサ２４は、表示ドライバ２８を制御して、着信通知に記述された発信元情報（電話番号）をディスプレイ３０に表示する。また、これとほぼ同時に、プロセッサ２４は、図示しないスピーカから着信音（着信メロディ、着信音声）を出力させる。また、プロセッサ２４は、１または複数のＬＥＤ（図示せず）を点灯ないし点滅させたり、モータ（図示せず）を駆動（回転）させることで携帯電話機１０自体を振動させたりする。
【００３６】
そして、使用者が、通話キーを用いて応答操作を行うと、無線通信回路１４は、プロセッサ２４の指示の下、音声着信処理を実行し、接続状態（通信可能状態）が確立され、プロセッサ２４は上述した通常の通話処理を実行する。
【００３７】
また、通話可能状態に移行した後に終話キーによって通話終了操作が行われると、プロセッサ２４は、無線通信回路１４を制御して、通話相手に通話終了信号を送信する。通話終了信号の送信後、プロセッサ２４は、通話処理を終了する。また、先に通話相手から通話終了信号を受信した場合も、プロセッサ２４は、通話処理を終了する。さらに、通話相手によらず、移動通信網から通話終了信号を受信した場合も、プロセッサ２４は通話処理を終了する。
【００３８】
また、携帯電話機１０はカメラ機能を備えており、キー入力装置２６によってカメラ機能を実行する操作が行われると、第１カメラモジュール３６および第２カメラモジュール３８が起動される。ただし、後述するように、第２カメラモジュール３８のイメージセンサ５２ｂ（図２参照）の画素数は、第１カメラモジュール３６のイメージセンサ５２ａ（図２参照）の画素数よりも少ない。
【００３９】
第１カメラモジュール３６および第２カメラモジュール３８が起動された場合に、キー入力装置２６によってシャッタ操作が実行されると、後述するように、第１カメラモジュール３６および第２カメラモジュール３８のそれぞれで本撮影処理が実行され、同時に（一度に）撮影された画素数の異なる２つの撮影画像に付いての画像データが記録される。ただし、ディスプレイ３０に表示される待ち受け画面（図示せず）の壁紙などに使用される低画素の画像に対応する画像データを記録する撮影モード（低画素画像撮影モード）が設定されている場合には、第１カメラモジュール３６は使用しないため、起動されない。したがって、低画素画像撮影モードが設定されている場合には、低画素の画像に対応する画像データのみが記録される。
【００４０】
図２（Ａ）には、第１カメラモジュール３６の具体的な構成が示され、図２（Ｂ）には、第２カメラモジュール３８の具体的な構成が示される。
【００４１】
図２（Ａ）に示すように、第１カメラモジュール３６では、被写体の光学像は光学レンズ５０ａを通してイメージセンサ５２ａの受光面（撮像面）に照射され、撮像面では、光電変換によって被写体の光学像に対応する電荷つまり生画像信号が生成される。たとえば、イメージセンサ５２ａの受光面（撮像面）には、第１画素数（この実施例では、８００万画素（たとえば、３２６４×２４４８））の受光素子が配置されている。
【００４２】
なお、後述する第２カメラモジュール３８とは異なり、第１カメラモジュール３６には、カメラ信号処理回路およびカメラＣＰＵを含むＩＳＰ(Image Signal Processor)が設けられていないため、第１カメラモジュール３６の処理によって、スルー画像や撮影画像がディスプレイ３０に表示されることはない。
【００４３】
キー入力装置２６によってシャッタ操作が行われると、プロセッサ２４は、本撮影処理を実行する。具体的には、プロセッサ２４は、インターフェイス（Ｉ／Ｆ）７０ａおよび内部バス６４ａを介して、１回の本露光と１回の全画素読み出しとをイメージセンサドライバ（Ｄｒ）６０ａに命令する。つまり、プロセッサ２４からの撮影指示がＤｒ６０ａに与えられる。これに応じて、Ｄｒ６０ａは、イメージセンサ５２ａの撮像面に最適時間の本露光を施し、これによって電荷の全てを撮像面から読み出す。この結果、被写体を表す第１画素数の生画像信号が、イメージセンサ５２ａから出力される。
【００４４】
イメージセンサ５２ａから出力された生画像信号は、ＣＤＳ／ＡＧＣ回路５４ａで、周知の相関二重サンプリング処理および所定の信号レベルへの増幅処理を施される。そして、Ａ／Ｄ変換器５６ａで、デジタルの生画像信号（生画像データ）に変換され、メモリコントローラ６６ａの制御によって、ＳＤＲＡＭ６８ａに一旦記憶される。その後、生画像データは、プロセッサ２４の指示の下、メモリコントローラ６６ａの制御によって、ＳＤＲＡＭ６８ａから読み出され、フラッシュメモリ３２に記憶される。
【００４５】
また、図２（Ｂ）に示すように、第２カメラモジュール３８では、被写体の光学像は光学レンズ５０ｂを通してイメージセンサ５２ｂの受光面（撮像面）に照射され、撮像面では、光電変換によって被写体の光学像に対応する電荷つまり生画像信号が生成される。たとえば、イメージセンサ５２ｂの受光面（撮像面）には、第１画素数よりも少ない第２画素数（この実施例では、２００万画素（たとえば、１６００×１２００））の受光素子が配置されている。
【００４６】
カメラ機能が実行されると、被写体のリアルタイム動画像つまりスルー画像を表示装置であるディスプレイ３０に表示するべく、プロセッサ２４は、カメラＣＰＵ６２ｂを指示して、Ｄｒ６０ｂに、プリ露光および間引き読み出しの繰り返しを命令し、表示処理の実行を表示ドライバ２８に命令する。Ｄｒ６０ｂは、１フレーム（この実施例では、１／３０秒）毎に撮像面にプリ露光を施し、これによって生成された電荷の一部を撮像面から読み出す。この結果、被写体を表す低解像度の生画像信号が所定のフレームレート（この実施例では、３０ｆｐｓ）でイメージセンサ５２ｂから出力される。
【００４７】
イメージセンサ５２ｂから出力された生画像信号は、ＣＤＳ／ＡＧＣ回路５４ｂで、周知の相関二重サンプリング処理および所定の信号レベルへの増幅処理を施される。そして、Ａ／Ｄ変換器５６ｂで、デジタルの生画像信号（生画像データ）に変換され、ＩＳＰを構成するカメラ信号処理回路５８ｂに入力される。
【００４８】
カメラ信号処理回路５８ｂは、生画像データに対して、色分離、白バランス調整、ＹＵＶ変換などの処理を施し、ＹＵＶ形式の画像データを生成する。そして、ＹＵＶ形式の画像データは、メモリコントローラ６６ｂの制御によってＳＤＲＡＭ６８ｂに書き込まれる。表示ドライバ２８は、ＳＤＲＡＭ６８ｂに格納された画像データを、メモリコントローラ６６ｂを通して１／３０秒毎に読み出し、読み出した画像データをディスプレイ３０に出力する。この結果、被写体のスルー画像がディスプレイ３０に表示される。このとき、カメラＣＰＵ６２ｂは、光学レンズ５０ｂの位置を制御することで、被写体にピントを合わせる。つまり、焦点距離が制御される。また、カメラＣＰＵ６２ｂの制御信号は、プロセッサ２４を介して、第１カメラモジュール３６に与えられ、光学レンズ５０ａの位置も制御され、第１カメラモジュール３６においても、被写体にピントが合わせられる。
【００４９】
なお、ＹＵＶ形式の画像データにおいて、Ｙは輝度を意味し、Ｕは青色から輝度を引いた色差を意味し、Ｖは赤色から輝度を引いた色差を意味する。つまり、ＹＵＶ形式の画像データは、輝度信号（Ｙ）データと青色の色差信号（Ｕ）データと赤色の色差信号（Ｖ）データとから構成される。
【００５０】
上述したように、キー入力装置２６によってシャッタ操作が行われると、プロセッサ２４は、本撮影処理を実行する。第２カメラモジュール３８では、プロセッサ２４からの撮影指示に従って、ＩＳＰを構成するカメラＣＰＵ６２ｂが、本露光および全画素読み出しを１回ずつ実行すべきことをＤｒ６０ｂに命令する。Ｄｒ６０ｂは、撮像面に最適時間の本露光を施し、これによって生成された電荷の全てを撮像面から読み出す。この結果、シャッタ操作が行われた時点の被写体を表す第２画素数の生画像信号が、イメージセンサ５２ｂから出力される。
【００５１】
イメージセンサ５２ｂから出力された生画像信号は、カメラ信号処理回路５８ｂによって上述と同様の処理を施され、これによって生成されたＹＵＶ形式の画像データはメモリコントローラ６６ｂによってＳＤＲＡＭ６８ｂに書き込まれる。その後、プロセッサ２４の指示の下、メモリコントローラ６６ｂの制御によって、フラッシュメモリ３２に記憶される。
【００５２】
図１に戻って、携帯電話機１０には、ＳＤカードのようなメモリカード４２が着脱自在に設けられる。たとえば、キー入力装置２６によって複製操作が行われると、フラッシュメモリ３２に記憶されたコンテンツデータの複製が使用者の指示に従ってメモリカード４２に記憶される。このメモリカード４２を外部のコンピュータ（図示せず）に装着することで、当該メモリカード４２に記憶されたコンテンツデータを当該コンピュータで読み取ることができる。
【００５３】
図３（Ａ）はスライド型の携帯電話機１０の閉状態の外観を表面（上面）から見た外観図であり、図３（Ｂ）はスライド型の携帯電話機１０の開状態の外観を表面から見た外観図であり、図３（Ｃ）はスライド型の携帯電話機の閉状態の外観を裏面
から見た外観図である。図３（Ａ）−図３（Ｃ）を参照して、携帯電話機１０は、各々が平面矩形の第１筐体Ｃ１および第２筐体Ｃ２を有する。また、第１筐体Ｃ１および第２筐体Ｃ２の厚みは略同じである。
【００５４】
第１筐体Ｃ１は第２筐体Ｃ２の上に重ねられた状態で、図示しないスライド機構によって連結される。したがって、図３（Ｂ）に示すように、第１筐体Ｃ１は第２筐体Ｃ２の長さ方向にスライド可能である。なお、第１筐体Ｃ１および第２筐体Ｃ２にそれぞれ内蔵される基板は、フレキシブル・プリント配線基板によって電気的に接続されている。
【００５５】
上述したマイク１８は、第２筐体Ｃ２に設けられる開口ＯＰ２に対応する位置に内蔵される。また、上述したレシーバ２２は、第１筐体Ｃ１に設けられる開口ＯＰ１に対応する位置に内蔵される。ただし、図３（Ａ）および図３（Ｂ）から分かるように、開口ＯＰ１は、第１筐体Ｃ１の表面であり、ディスプレイ３０の上側に設けられ、開口ＯＰ２は、第２筐体Ｃ２の表面であり、後述するキー群２６ｂの下側に設けられる。
【００５６】
図３（Ｃ）に示すように、第２筐体Ｃ２の裏面には、開口ＯＰ３および開口ＯＰ４が第２筐体Ｃ２の長手方向に並んで設けられる。図示は省略するが、開口ＯＰ３およびＯＰ４には、可視光を透過するプラスチック（図示せず）がそれぞれはめ込まれている。たとえば、開口ＯＰ３に対応する位置に、上述した光学レンズ５０ａおよびイメージセンサ５２ａが内蔵される。また、開口ＯＰ４に対応する位置に、上述した光学レンズ５０ｂおよびイメージセンサ５２ｂが内蔵される。したがって、使用者は、第２筐体Ｃ２の裏面を任意の被写体に向けることで、その被写体の撮影を行うことができる。
【００５７】
また、図３（Ａ）および図３（Ｂ）に示すように、上述したキー入力装置２６は、第１キー群２６ａおよび第２キー群２６ｂを含む。第１キー群２６ａは、上述したカーソルキー、通話キー、終話キー、機能キーおよび確定キーなどから構成されており、第１筐体Ｃ１の上面に設けられる。また、第２キー群２６ｂは、「０」−「９」キー、「＊」キーおよび「＃」キーを含み、第２筐体Ｃ２の上面に設けられる。また、ディスプレイ３０は、表示画面が第１筐体Ｃ１の上面に露出するように取り付けられる。
【００５８】
たとえば、使用者は、ディスプレイ３０を確認しながら、ダイヤルキーを操作して電話番号を入力し、通話キーによって発呼操作を行い、終話キーによって通話終了操作を行う。また、使用者は、機能キーを操作することでメニュー画面を表示し、カーソルキーなどによって任意のメニューを選択することができる。さらに、使用者は、確定キーを操作することで、選択されたメニューを確定することができる。そして、使用者は、終話キーを長押しすることで携帯電話機１０の電源をオン／オフすることができる。
【００５９】
さらに、携帯電話機１０の開閉状態は、図示しない磁気センサおよび磁石によって検出される。たとえば、磁気センサと磁石とは、図３（Ａ）および図３（Ｃ）に示す閉状態で、最も接近した状態となり、図３（Ｂ）に示す開状態で、最も離れた状態となるように、第１筐体Ｃ１および第２筐体Ｃ２の内部に設置される。また、磁気センサは、図３（Ａ）および図３（Ｃ）に示す状態では最大値を出力し、図３（Ｂ）に示す状態では最小値を出力する。したがって、プロセッサ２４は、磁気センサが最大値を出力すると開状態を検出し、磁気センサが最小値を出力すると閉状態を検出する。
【００６０】
なお、図１に示したアンテナ１２、無線通信回路１４、プロセッサ２４、表示ドライバ２８、フラッシュメモリ３２、ＲＡＭ３４、第１カメラモジュール３６および第２カメラモジュール３８は、第１筐体Ｃ１または第２筐体Ｃ２に内蔵されるため、図３（Ａ）−図３（Ｃ）では図示されない。
【００６１】
このような構成の携帯電話機１０では、上述したように、第１カメラモジュール３６および第２カメラモジュール３８のそれぞれで撮影された画像（撮影画像）に対応する画像データを取得することができる。ただし、第１カメラモジュール３６で記録される画像データは生画像データであり、第２カメラモジュール３８で記録される画像データはＹＵＶの画像データである。
【００６２】
詳細な説明は省略するが、この実施例では、同じ焦点距離においては、第１カメラモジュール３６の画角よりも、第２カメラモジュール３８の画角が大きくなるように設定されている。
【００６３】
図４（Ａ）には、２人の人間のような被写体を撮影する場合における、第１カメラモジュール３６の撮影範囲Ａと、第２カメラモジュール３８の撮影範囲Ｂが示される。上述したように、第２カメラモジュール３８の画角は、第１カメラモジュール３６の画角よりも大きいため、撮影範囲Ｂは撮影範囲Ａよりも大きく、撮影範囲Ａは撮影範囲Ｂに含まれている。
【００６４】
図４（Ｂ）に示すように、携帯電話機１０は横持ちで使用することができる。第１カメラモジュール３６のイメージセンサ５２ａと第２カメラモジュール３８のイメージセンサ５２ｂとは、横並びに配置された状態となる。そして、図４（Ａ）に示すように、撮影範囲Ａと撮影範囲Ｂとは、横長であり、それぞれの中心が横方向にずれている。
【００６５】
なお、図示は省略するが、携帯電話機１０は縦持ちで使用することも可能である。また、たとえば、待ち受け画面に使用する画像の撮影モードを選択した場合やジャイロセンサ（図示せず）で検知した携帯電話機１０の向き（ここでは、縦向き）に応じて画像データを縦向きで保存する場合には、撮影範囲Ａおよび撮影範囲Ｂは、撮影範囲Ｂの中心を中心として、それぞれ、左方向（または右方向）に９０度回転される。
【００６６】
たとえば、第１カメラモジュール３６で撮影した撮影画像は、外部のコンピュータを用いて、画像処理（加工、修正などの処理）を施すために用いられる。一方、第２カメラモジュール３８で撮影した撮影画像は、携帯電話機１０のディスプレイ３０に表示するために用いられる。携帯電話機１０のディスプレイ３０に表示するのは、撮影画像を壁紙として使用したり、撮影画像を再生することにより確認したりするためである。
【００６７】
ここで、図４（Ａ）に示すような被写体を撮影した場合には、上述したように、第１カメラモジュール３６と第２カメラモジュール３８とで撮影範囲Ａ、Ｂが異なる。このため、図５（Ａ）および図５（Ｂ）に示すように、第１カメラモジュール３６で撮影した撮影画像（高画素画像）を外部のコンピュータに接続されたモニタ（外部モニタ）で見た場合と、第２カメラモジュール３８で撮影した撮影画像（低画素画像）をディスプレイ３０で見た場合とでは、一度に同じ被写体を撮影したにも拘わらず、印象が異なる。場合によっては、異なる撮影画像であると認識してしまう。
【００６８】
ただし、図５（Ａ）および図５（Ｂ）では、分かり易く示すために、高画素画像および低画素画像を同じ大きさで表示してあるが、通常、外部モニタの方がディスプレイ３０よりも表示画面が大きいと考えられる。
【００６９】
したがって、この実施例では、低画素画像の一部を切り抜くことにより、低画素画像の画角を高画素画像の画角に合わせるようにしてある。ただし、上述したように、光学レンズ５０ａおよびイメージセンサ５２ａの配置位置と、光学レンズ５０ｂおよびイメージセンサ５２ｂの配置位置とはずれているため、つまり視点にずれが生じているため、低画素画像の一部を切り抜く際には、このずれを調整するようにしてある。
【００７０】
図６は、或る被写体を撮影した場合において、第１カメラモジュール３６の撮影範囲Ａおよび第２カメラモジュール３８の撮影範囲Ｂの横幅方向についての画角を示す。図６では、第１カメラモジュール３６の第１視点位置と第２カメラモジュール３８の第２視点位置とが横並びで示される。また、第１カメラモジュール３６の撮影範囲Ａの横方向の画角は角度αで示され、第２カメラモジュール３８の撮影範囲Ｂの横方向の画角は角度βで示される。また、それぞれの画角（角度α、β）に応じて、第１カメラモジュール３６の撮影範囲Ａの横幅Ｗ１および第２カメラモジュール３８の撮影範囲Ｂの横幅Ｗ２が決定される。ただし、図６に示す注視点面（図７も同じ）は、第１カメラモジュール３６および第２カメラモジュール３８のそれぞれで撮影した場合に、ピントを合わせた位置を含む面である。
【００７１】
図７は、図６と同じ場合において、第１カメラモジュール３６の撮影範囲Ａおよび第２カメラモジュール３８の撮影範囲Ｂの縦方向についての画角を示す。図３（Ｃ）では分かり難いが、第１カメラモジュール３６の第１視点位置と第２カメラモジュール３８の第２視点位置とは長手方向の位置は同じに設定されているため、図７においては、第１視点位置および第２視点位置は重なっている。また、第１カメラモジュール３６の撮影範囲Ａの縦方向の画角は角度θで示され、第２カメラモジュール３８の撮影範囲Ｂの縦方向の画角は角度φで示される。また、それぞれの画角（角度θ、φ）に応じて、第１カメラモジュール３６の撮影範囲Ａの縦の長さＨ１および第２カメラモジュールの撮影範囲Ｂの縦の長さＨ２が決定される。
【００７２】
したがって、低画素画像の画角を高画素画像の画角を一致させる場合には、切り抜く範囲を、図８（Ａ）に示すように、低画素画像の大きさに、撮影範囲Ｂに対する撮影範囲Ａの比率を掛けることにより求める必要がある。撮影範囲Ｂに対する撮影範囲Ａの比率は、数１および数２によって求めることができる。ただし、撮影範囲Ａおよび撮影範囲Ｂは長方形であるため、横幅の比率Ｐ１と縦の長さの比率Ｐ２とがそれぞれ求められる。数１が横幅の比率Ｐ１であり、数２が縦の長さの比率Ｐ２である。
【００７３】
[数１]
Ｐ１＝ｔａｎ（α／２）／ｔａｎ（β／２）
[数２]
Ｐ２＝ｔａｎ（θ／２）／ｔａｎ（φ／２）
したがって、図８（Ａ）に示す切り取り範囲の横幅Ｌ１および縦の長さＤ１は、低画素画像の大きさの横幅Ｌ２および縦の長さＤ２から、比率Ｐ１および比率Ｐ２を用いることにより、数３および数４に従って、それぞれ求められる。
【００７４】
[数３]
Ｌ１＝Ｌ２×Ｐ１
[数４]
Ｄ１＝Ｄ２×Ｐ２
ただし、上述したように、第１カメラモジュール３６の第１視点位置および第２カメラモジュール３８の第２視点位置にはずれが生じているため、このずれを考慮して切り取り範囲の位置を調整する必要がある。この実施例では、切り取り範囲は、その中心が、第１視点位置と第２視点位置とのずれ（距離ｄ）に比率Ｐ１を掛けることにより求められる距離ｄ´だけ、低画素画像の中心から右方向にずらした位置に設定される。そして、低画素画像から切り取り範囲で決定される範囲が切り取られる（トリミングされる）。
【００７５】
このようにすれば、高画素画像と低画素画像との画角を揃えることができ、それらの見た目が同じになり、異なった印象を与えることを回避することができる。
【００７６】
そして、低画素画像がトリミングされると、高画素画像の画像データ（高画素画像データ）および低画素画像の画像データ（低画素画像データ）とは、プロセッサ２４の指示に従って、互いに関連付けられて、フラッシュメモリ３２に記憶される。つまり、プロセッサ２４は、低画素画像データを、ＳＤＲＡＭ６８ｂから読み出してＲＡＭ３４に書き込み、トリミング（切り取り）処理を施した後に、ＳＤＲＡＭ６８ａから読み出した高画素画像データと関連付けて、フラッシュメモリ３２に記憶するのである。
【００７７】
図９に示すように、フラッシュメモリ３２には撮影画像に対応する画像データを記憶するための画像記憶領域３２ａが設けられ、画像記憶領域３２ａには、画像１データ３２０、画像２データ３２２、…が記憶される。また、画像１データ３２０は、高画素画像データ３２０ａおよび低画素画像データ３２０ｂを含む。同様に、画像２データ３２２は、高画素画像データ３２２ａおよび低画素画像データ３２２ｂを含む。
【００７８】
このように、この実施例では、画像データに、高画素画像データと低画素画像データとを含むようにして、高画素画像データと低画素画像とを関連付けるようにしてある。ただし、高画素画像データと低画素画像データとのそれぞれに識別情報を付すとともに、互いに他の識別情報を記憶することにより、関連付けるようにしてもよい。または、高画素画像データを記憶する領域と、低画素画像データを記憶する領域とを設けておき、同時に撮影された撮影画像に対応する高画素画像データと低画素画像データとを、それぞれの領域で同じ識別情報を付して記憶することにより、互いに関連付けるようにしてもよい。
【００７９】
たとえば、メモリカード４２に画像１データ３２０を記憶することが指示されると、プロセッサ２４は、それに含まれる高画素画像データ３２０ａの複製を読み出し、メモリカード４２に書き込む。また、ディスプレイ３０に画像１データ３２０を表示することが指示されると、プロセッサ２４は、それに含まれる低画素画像データ３２０ｂを読み出し、表示ドライバ２８を制御して、ディスプレイ３０に出力する。説明は省略するが、画像２データ３２２などの他の画像データについても同様である。
【００８０】
ただし、上述したように、低画素の画像データを記録する撮影モードが設定されている場合には、画像データには、低画素画像データのみが含まれる。したがって、かかる場合に、メモリカードに当該画像データを記憶することが指示された場合には、高画素画像データが無い旨のメッセージをディスプレイ３０に表示し、何らデータをメモリカードに記憶しない。ただし、かかる場合には、低画素画像データをメモリカードに記憶するようにしてもよい。
【００８１】
この実施例によれば、第１カメラモジュールと第２カメラモジュールとを同じ平面内に設けるので、一度の撮影で同じ被写体についての高画素画像と低画素画像とを記録することができる。つまり、外部のコンピュータで処理するために十分な画素を有する高画素画像を記録することができ、ディスプレイに表示する際に比較的処理負荷の少ない低画素画像を記録することができる。
【００８２】
また、この実施例では、高画素の第１カメラモジュールでは、ＩＳＰを構成する、カメラ信号処理回路およびカメラＣＰＵが設けられていないが、第１カメラモジュールよりも低画素の第２カメラモジュールでは、カメラ信号処理回路およびカメラＣＰＵが設けられている。そのため、高画素用のＩＳＰを設ける必要が無くなりコストを削減することが可能となるとともに、高画素の第１カメラモジュールの画像と、第１カメラモジュールよりも低画素の第２カメラモジュールの画像を得ることができる。
【００８３】
さらに、この実施例では、低画素画像の画角を高画素画像の画角に一致させるように、その一部を切り取るので、それらを表示した場合に、異なった印象を与えることがない。
【００８４】
さらにまた、この実施例では、２つのカメラを第２筐体の裏面の長手方向に並べて配置したが、これに限定される必要はない。たとえば、２つのカメラを第２筐体の裏面の短手方向に並べて配置するようにしてもよい。このようにした場合には、横持ちで撮影したとき、縦方向のずれを考慮して切り取り範囲の位置が調整される。ただし、２つのカメラは同一平面内であれば、斜め方向に並べて配置するようにしてもよい。かかる場合には、横方向および縦方向のずれを考慮して切り取り範囲の位置が調整される。
【００８５】
また、この実施例では、携帯電話機に２つのカメラを設けた場合についてのみ説明したが、通話機能は不要である。したがって、携帯電話機に限定される必要は無く、２つのカメラ（カメラモジュール）を備える他の電子機器に本願発明を適用することも可能である。
【００８６】
さらに、この実施例では、通信方式として、ＣＤＭＡ方式を採用するようにしてあるが、これに限定される必要は無く、ＬＴＥ(Long Term Evolution)方式、Ｗ−ＣＤＭＡ方式、ＧＳＭ方式、ＴＤＭＡ方式、ＦＤＭＡ方式およびＰＨＳ方式などの他の方式が採用されてもよい。
【００８７】
さらにまた、以上の説明で挙げた画素数、所定距離、所定時間およびフレームなどの具体的数値および各画像（画面）は、いずれも単なる一例であり、製品の仕様などの必要に応じて適宜変更可能である。
【符号の説明】
【００８８】
１０  …携帯電話機
１４  …無線通信回路
１８  …マイク
２２  …スピーカ
２４  …プロセッサ
２６  …キー入力装置
３０  …ディスプレイ
３２  …フラッシュメモリ
３４  …ＲＡＭ
３６、３８  …カメラモジュール
４２  …メモリカード
【図１】
2012109844.tif 000003
【図２】
2012109844.tif 000004
【図３】
2012109844.tif 000005
【図４】
2012109844.tif 000006
【図５】
2012109844.tif 000007
【図６】
2012109844.tif 000008
【図７】
2012109844.tif 000009
【図８】
2012109844.tif 000010
【図９】
2012109844.tif 000011